(57)【要約】【課題】  クラブフェースのトゥ側又はヒール側にのみ簡単にきれいに貼り付けることができ、トゥ側又はヒール側に偏った打点を有するゴルファーに応じてその癖を修正するための練習を行うことができ、さらには練習の難易度の調節が容易であるゴルフ用打点改善シートを提供すること。【解決手段】  本発明は、ゴルフクラブＷのクラブフェースＦに貼り付けられる衝撃吸収材からなるゴルフ用打点改善シートＳ１，Ｓ２であって、クラブフェースＦのトゥ部分又はヒール部分の縁部形状に沿うように湾曲して形成された外側辺５と、当該外側辺５と同一方向にて湾曲して形成された内側辺６と、を有し、クラブフェースＦのスイートスポット付近を避けてトゥ側部分又はヒール側部分にのみ貼り付けられるトゥ側シートＳ１又はヒール側シートＳ２からなるゴルフ用打点改善シートＳ１，Ｓ２である。【選択図】図１
2017093988.tif 000002
【特許請求の範囲】
【請求項１】
ウッドゴルフクラブ又はユーティリティゴルフクラブのクラブフェースに貼り付けられる衝撃吸収材からなるゴルフ用打点改善シートであって、
クラブフェースのトゥ部分の縁部形状に沿うように湾曲して形成された外側辺と、
当該外側辺と同一方向にて湾曲して形成された内側辺と、
を有し、
クラブフェースのスイートスポット付近を避けてトゥ側部分にのみ貼り付けられるトゥ側シートからなることを特徴とするゴルフ用打点改善シート。
【請求項２】
ウッドゴルフクラブ又はユーティリティゴルフクラブのクラブフェースのヒール部分の縁部形状に沿うように湾曲して形成された外側辺と、
当該外側辺と同一方向にて湾曲して形成された内側辺と、
を有し、
クラブフェースのスイートスポット付近を避けてヒール側部分にのみ貼り付けられる衝撃吸収材からなるヒール側シートをさらに備えていることを特徴とする請求項１に記載のゴルフ用打点改善シート。
【請求項３】
ウッドゴルフクラブ又はユーティリティゴルフクラブのクラブフェースに貼り付けられる衝撃吸収材からなるゴルフ用打点改善シートであって、
クラブフェースのヒール部分の縁部形状に沿うように湾曲して形成された外側辺と、
当該外側辺と同一方向にて湾曲して形成された内側辺と、
を有し、
クラブフェースのスイートスポット付近を避けてヒール側部分にのみ貼り付けられるヒール側シートからなることを特徴とするゴルフ用打点改善シート。
【請求項４】
ウッドゴルフクラブ又はユーティリティゴルフクラブのクラブフェースのソール付近と対応する部分を略水平方向に切り欠いた下辺を有することを特徴とする請求項１〜３の何れか一項に記載のゴルフ用打点改善シート。
【請求項５】
左右方向の幅が異なる複数枚のシートから構成されていることを特徴とする請求項１〜４の何れか一項に記載のゴルフ用打点改善シート。
【請求項６】
アイアンゴルフクラブのクラブフェースに貼り付けられる衝撃吸収材からなるゴルフ用打点改善シートであって、
クラブフェースのトゥ部分又はヒール部分の縁部形状に沿うように湾曲して形成された外側辺と、
上下方向に直線状に形成された内側辺と、
を有し、
クラブフェースのスイートスポット付近を避けてトゥ側部分にのみ貼り付けられるトゥ側シート又はヒール側部分にのみ貼り付けられるヒール側シートからなることを特徴とするゴルフ用打点改善シート。
【請求項７】
クラブフェースの形状に合わせて形成されクラブフェースに貼り付けられる感圧紙を介してクラブフェースの所定位置に貼り付けられるように、感圧紙のトゥ側又はヒール側に対して予め貼り付けられているものであることを特徴とする請求項１〜６の何れか一項に記載のゴルフ用打点改善シート。
【発明の詳細な説明】
【技術分野】
【０００１】
本発明は、ゴルフ用打点改善シートに関するものである。
【背景技術】
【０００２】
ゴルフクラブによってゴルフボールを打つ際の正しい打点位置は、クラブフェースのほぼ中央位置の一定範囲にあるスイートスポットであり、ゴルファーはその最適な打点位置にてゴルフボールを打てることができるように、打球練習を行っている。
そして、正しい打点位置にてゴルフボールを打てているか否かを判断するための練習補助具として、従来、クラブフェースにボール衝突点変色シール（感圧紙）を貼り付けることが提案されているが、ゴルフボールを打つのと同時に打点位置を知ることができないという欠点がある（特許文献１）。
【０００３】
そこで、図６に示すようにゴルフクラブＷのスイートスポットに対応する円形の切り抜きを設けたシートＳ１０をクラブフェースＦに貼り付けることが提案されている（特許文献２，３）。
これらのシートＳ１０は、ウレタンフォーム又はゴム等の衝撃吸収効果を有する低反発材料から構成されており、芯（図中＋で示す位置）の周囲の一定範囲に存在するスイートスポット以外の部分でゴルフボールを打つと、シートＳ１０の貼られた部分にゴルフボールが当たることで、飛び方や打球音などの違いから、スイートスポットを外れた位置でゴルフボールを打ったことを直ちにゴルファーに知らせることができる。
【０００４】
なお、スイートスポットと対応する位置に突状部を設けたプレートをクラブフェースに貼り付けることも提案されているが（特許文献４）、プレートが剥がれたり、打球方向が乱れて危険であるという問題や、スイートスポットにて正しくボールを打った場合の飛距離が本来の飛距離と一致しないという問題や、プレートやゴルフクラブが損傷するおそれがあるという問題などがあり、実用的ではない。
【先行技術文献】
【特許文献】
【０００５】
【特許文献１】特開２００１−３４０５００号公報
【特許文献２】実開平２−３７６８１号公報
【特許文献３】特開２００４−１２９９０８号公報
【特許文献４】特開２００７−３７９３７号公報
【発明の概要】
【発明が解決しようとする課題】
【０００６】
上記のような円形の切り抜きを設けた従来のシートＳ１０を用いた場合には、１）スイートスポット位置がゴルフクラブ毎に異なっているため正確な位置がはっきりしていないスイートスポット位置にシートの円形の切り抜きを対応させてシートをクラブフェースに貼り付けるのは困難であるという問題や、２）スイートスポット位置と対応する比較的小さな円形にシートを切り抜いているため練習の難易度が高くなりすぎるという問題や、３）クラブフェースの形状と一致しないとシートがはみ出たり、図７に示すようにシートの上方又は側方などにクラブフェースが露出してスイングの際の集中力に影響するという問題や、４）円形の切り抜きの大きさや位置を容易に変更できるものではなく、ゴルファーの癖に細かく対応した練習方法を提供できないという問題や、５）ソール部分と対応するシートの下部が破れたりほつれたりして損傷しやすいという問題がある。
【０００７】
そこで、本発明の目的は、従来のゴルフ用打点改善シートにおける上記の課題を解決し、正確なスイートスポット位置を把握する必要が無く、練習の難易度を適度なものとすることができ、練習の難易度の調節も容易であるゴルフ用打点改善シートを提供することにある。
【０００８】
本発明の他の目的は、様々な形状と大きさを有するクラブフェースに対応し、個々のクラブフェースの縁部の形状に合わせてきれいに貼ることができるゴルフ用打点改善シートを提供することにある。
さらに、本発明の他の目的は、クラブフェースのトゥ側又はヒール側にのみ貼り付けることで、トゥ側又はヒール側に偏った打点を有するゴルファーに応じてその癖を修正するための練習を行うことができるゴルフ用打点改善シートを提供することにある。
【０００９】
本発明の他の目的は、ソール部分と対応するシートの下部が破れたりほつれたりして損傷することが無いゴルフ用打点改善シートを提供することにある。
さらに、本発明の他の目的は、感圧紙にて実際の打点位置を確認することができるゴルフ用打点改善シートを提供することにある。
【課題を解決するための手段】
【００１０】
本発明は、「ウッドゴルフクラブ又はユーティリティゴルフクラブのクラブフェースに貼り付けられる衝撃吸収材からなるゴルフ用打点改善シートであって、クラブフェースのトゥ部分の縁部形状に沿うように湾曲して形成された外側辺と、当該外側辺と同一方向にて湾曲して形成された内側辺と、を有し、クラブフェースのスイートスポット付近を避けてトゥ側部分にのみ貼り付けられるトゥ側シートからなるゴルフ用打点改善シート。」
及び
「ウッドゴルフクラブ又はユーティリティゴルフクラブのクラブフェースに貼り付けられる衝撃吸収材からなるゴルフ用打点改善シートであって、クラブフェースのヒール部分の縁部形状に沿うように湾曲して形成された外側辺と、当該外側辺と同一方向にて湾曲して形成された内側辺と、を有し、クラブフェースのスイートスポット付近を避けてヒール側部分にのみ貼り付けられるヒール側シートからなるゴルフ用打点改善シート。」を最も主要な特徴とするものである。
【００１１】
本発明に関し、ウッドゴルフクラブ又はユーティリティゴルフクラブとは、ほぼ左右対称形状となっているクラブフェースを有するゴルフクラブであり、アイアンゴルフクラブとは、略三角形状又は台形状のクラブフェースを有するゴルフクラブである。
【００１２】
本発明の前記トゥ側シート又はヒール側シートは、ウッドゴルフクラブ又はユーティリティゴルフクラブのクラブフェースのソール付近と対応する部分を略水平方向に切り欠いた下辺を有するものであってもよい。
本発明の前記トゥ側シート又はヒール側シートは、左右方向の幅が異なる複数枚のシートから構成されているものであってもよい。
【００１３】
本発明は、アイアンゴルフクラブのクラブフェースに貼り付けられる衝撃吸収材からなるゴルフ用打点改善シートであって、クラブフェースのトゥ部分又はヒール部分の縁部形状に沿うように湾曲して形成された外側辺と、上下方向に直線状に形成された内側辺と、を有し、クラブフェースのスイートスポット付近を避けてトゥ側部分にのみ貼り付けられるトゥ側シート又はヒール側部分にのみ貼り付けられるヒール側シートからなるゴルフ用打点改善シートであってもよい。
【００１４】
本発明の前記ゴルフ用打点改善シートは、クラブフェースの形状に合わせて形成されクラブフェースに貼り付けられる感圧紙を介してクラブフェースの所定位置に貼り付けられるように、感圧紙のトゥ側又はヒール側に対して予め貼り付けられているものであってもよい。
【発明の効果】
【００１５】
上記のように構成した本発明のトゥ側シートを有するゴルフ用打点改善シートにおいては、ゴルファーがクラブフェースのスイートスポットの正確な位置を考慮する必要がなく、トゥ側シートをクラブフェースのトゥ部分の縁部に合わせて簡単にきれいに貼り付けることができる。
そして、トゥ側シートを貼り付けた後のクラブフェースは、トゥ側をその縁部形状に合わせて小さくした外観を呈し、クラブフェースの形状として不自然さを感じることを軽減することができる。
そして、クラブフェースのトゥ側部分にのみトゥ側シートを貼り付けることで、トゥ側に偏った打点を有するゴルファーに応じてその癖を修正するための練習を簡単に効率よく行うことができる。
【００１６】
同様に、上記のように構成した本発明のヒール側シートを有するゴルフ用打点改善シートにおいては、ヒール側シートをクラブフェースのヒール部分の縁部に合わせて簡単にきれいに貼り付けることができる。
そして、ヒール側シートを貼り付けた後のクラブフェースは、ヒール側をその縁部形状に合わせて小さくした外観を呈し、クラブフェースの形状として不自然さを感じることを軽減することができる。
そして、クラブフェースのヒール側部分にのみヒール側シートを貼り付けることで、ヒール側に偏った打点を有するゴルファーに応じてその癖を修正するための練習を簡単に効率よく行うことができる。
【００１７】
さらに、本発明のゴルフ用打点改善シートにおいては、クラブフェースのトゥ側部分にトゥ側シートを貼り付け、ヒール側部分にもヒール側シートを貼り付けることで、スイートスポット近辺にて正しくボールを打つための練習を行うことができる。
【００１８】
本発明の前記トゥ側シート又はヒール側シートが、ウッドゴルフクラブ又はユーティリティゴルフクラブのクラブフェースのソール付近と対応する部分を略水平方向に切り欠いた下辺を有するものである場合には、前記トゥ側シート又はヒール側シートの下部が人工芝のマットや地面と摺れて損傷することを防ぐことができる。
また、本発明のゴルフ用打点改善シートにおいて、前記トゥ側シート又はヒール側シートが、左右方向の幅が異なる複数枚のシートから構成されているものである場合には、練習の難易度を適宜簡単に変更することができる。
【００１９】
アイアンゴルフクラブのクラブフェースに貼り付けられる衝撃吸収材からなる本発明のゴルフ用打点改善シートにおいては、上下方向に直線状に形成された内側辺を有しているため、シートに覆われていないクラブフェースの形状が、溝が設けられている部分のクラブフェースの形状と同様の台形状となり、違和感の無い打球練習を行うことができる。
【００２０】
本発明の前記ゴルフ用打点改善シートが、クラブフェースの形状に合わせて形成されクラブフェースに貼り付けられる感圧紙のトゥ側又はヒール側に対して予め貼り付けられているものである場合には、上記本発明の効果に加え、実際の打点位置を簡単に確認することができる。
さらに、感圧紙をクラブフェースに貼り付けるだけで、一度にトゥ側シートとヒール側シートをクラブフェースの適正な位置に簡単に貼り付けることができる。
【図面の簡単な説明】
【００２１】
【図１】図１はウッドゴルフクラブ又はユーティリティゴルフクラブのクラブフェースに貼り付けられる本発明を具体化した一実施形態のゴルフ用打点改善シート及びゴルフクラブの正面図である。
【図２】図２は本発明のゴルフ用打点改善シート及びゴルフクラブの正面図である。
【図３】図３は本発明を具体化した他の実施形態のゴルフ用打点改善シート及びゴルフクラブの正面図である。
【図４】図４はアイアンゴルフクラブのクラブフェースに貼り付けられる本発明を具体化したゴルフ用打点改善シート及びゴルフクラブの正面図である。
【図５】図５は本発明を具体化した他の実施形態のゴルフ用打点改善シートを示す正面図である。
【図６】図６は従来のゴルフ用打点改善シート及びゴルフクラブの正面図である。
【図７】図７は従来のゴルフ用打点改善シート及びゴルフクラブの正面図である。
【発明を実施するための形態】
【００２２】
本発明は、「クラブフェースのスイートスポット付近を避けてトゥ側部分にのみ貼り付けられるトゥ側シート」又は「クラブフェースのスイートスポット付近を避けてヒール側部分にのみ貼り付けられるヒール側シート」から構成されるゴルフ用打点改善シートであって、以下において説明する実施形態などにより好適に具体化することができる。
【００２３】
以下、本発明のゴルフ用打点改善シートを具体化した一実施形態について、右利きのゴルファー用のゴルフクラブに使用する場合について説明する。
図１及び図２に示すゴルフ用打点改善シートＳ１，Ｓ２は、ウッドゴルフクラブ又はユーティリティゴルフクラブＷのクラブフェースＦに貼り付けられるのに適したものであって、衝撃吸収材からなるトゥ側シートＳ１及びヒール側シートＳ２から構成されている。
そして、これらのトゥ側シートＳ１及びヒール側シートＳ２は、互いに繋がっておらず、別体の分離したものとして構成されている。
【００２４】
本発明のゴルフ用打点改善シートＳ１，Ｓ２及び後記するゴルフ用打点改善シートＳ３，Ｓ４を構成する衝撃吸収材としては、好適には厚さ２ｍｍの発泡スチレンブタジエンラバーを用いることができるが、１〜３ｍｍ程度の厚さのものであってもよい。
本発明のゴルフ用打点改善シートＳ１〜Ｓ４を構成する衝撃吸収材としては、天然ゴム、その他のゴム材、発泡ポリウレタン、発泡スチロール、フェルト、皮革、その他の低反発材料などを用いることができ、ボールの飛び方又は打球音の違いなどから、衝撃吸収材にボールが当たったことをゴルファーが認識できるものであればよい。
【００２５】
また、本発明のゴルフ用打点改善シートＳ１，Ｓ２は、ゴルフクラブヘッド上面の塗装と同系統の色であると、違和感を抑えることができるため、黒色、濃紺色、白色、銀色などの衝撃吸収材を用いるとよいが、茶色、青色、緑色、赤色、黄色など、他の色の衝撃吸収材を用いてゴルフ用打点改善シートを目立たせるようにしてもよい。
【００２６】
前記トゥ側シートＳ１は、クラブフェースＦのトゥ部分の縁部形状に沿うように湾曲して形成された外側辺５と、当該外側辺５と同一方向にて湾曲して形成された内側辺６と、を有しており、クラブフェースＦのトゥ側部分にのみ対応する形状となっている。
さらに、この一実施形態において、前記トゥ側シートＳ１は、ウッドゴルフクラブ又はユーティリティゴルフクラブＷのクラブフェースＦのソール付近と対応する部分を略水平方向に切り欠いた下辺７を有している。
従って、前記トゥ側シートＳ１の下部が人工芝のマットや地面と摺れて損傷することを防ぐことができる。
【００２７】
そして、前記トゥ側シートＳ１は、その裏面に粘着剤８と剥離紙９とを備えている。
従って、裏面の剥離紙９を剥がせば、クラブフェースＦのスイートスポット付近を避けてトゥ側部分にのみトゥ側シートＳ１を簡単に貼り付けることができる。
この作業において、ゴルファーは、クラブフェースＦのスイートスポットの正確な位置を考慮する必要がない。
【００２８】
また、トゥ側シートＳ１は薄く、柔軟な素材であるため、クラブフェースＦの形状がディープフェース、シャローフェース、角形のフェースといった異なるものであっても、トゥ側シートＳ１をクラブフェースＦのトゥ部分の縁部に合わせて簡単にきれいに貼り付けることができる。
そして、トゥ側シートＳ１を貼り付けた後のクラブフェースＦは、トゥ側をその縁部形状に合わせて小さくした外観を呈し、クラブフェースＦの形状として不自然さを感じることを軽減できるようになっている。
【００２９】
このように、クラブフェースＦのトゥ側にのみトゥ側シートＳ１を貼り付けることで、見えるクラブフェースＦに当てようとする意識と、シートの部分で打ってはいけないという意識との相乗効果が生じ、トゥ側に偏った打点を有するゴルファーの癖を修正するための練習を効果的に行うことができる。
また、ゴルファーがクラブフェースＦを上から見ると、本発明のゴルフ用打点改善シートには厚みがあるため、シートの貼っていない部分より、シートの貼ってある部分が強調されるという効果を得ることもできる。一方、図６及び図７に示すような従来のシートＳ１０においては、シートの上部が繋がっているため、シートの貼っていない部分が上から見えず、シートの貼ってある部分又は貼っていない部分が強調されるという効果を得ることができない。
【００３０】
同様に、ヒール側シートＳ２は、クラブフェースＦのヒール部分の縁部形状に沿うように湾曲して形成された外側辺５と、当該外側辺５と同一方向にて湾曲して形成された内側辺６と、を有しており、クラブフェースＦのヒール側部分にのみ対応する形状となっている。
この一実施形態において、前記ヒール側シートＳ２は、ウッドゴルフクラブ又はユーティリティゴルフクラブＷのクラブフェースＦのソール付近と対応する部分を略水平方向に切り欠いた下辺７を有している。
従って、前記ヒール側シートＳ２の下部が人工芝のマットや地面と摺れて損傷することを防ぐことができる。
【００３１】
そして、前記ヒール側シートＳ２は、裏面に粘着剤と剥離紙とを備えている。
従って、裏面の剥離紙を剥がせば、クラブフェースＦのスイートスポット付近を避けてヒール側部分にのみ簡単に貼り付けることができる。
この作業において、ゴルファーは、クラブフェースＦのスイートスポットの正確な位置を考慮する必要がなく、ヒール側シートＳ２をクラブフェースＦのヒール部分の縁部に合わせて簡単に貼り付けることができる。
そして、ヒール側シートＳ２を貼り付けた後のクラブフェースＦは、ヒール側をその縁部形状に合わせて小さくした外観を呈し、クラブフェースＦの形状として不自然さを感じることを軽減できるようになっている。
【００３２】
このように、クラブフェースＦのヒール側にのみヒール側シートＳ２を貼り付けることで、ヒール側に偏った打点を有するゴルファーに応じてその癖を修正するための練習を行うことができる。
また、前記クラブフェースＦのヒール側とトゥ側に、それぞれ前記トゥ側シートＳ１及びヒール側シートＳ２を貼り付ければ、クラブフェースＦの中央部付近のみを露出させることとなり、クラブフェースＦの中央部付近、即ち、スイートスポット近辺にてボールを正確に打つ練習を行うのに適するようにすることができる。
【００３３】
また、図１に示すように、左右方向の幅が異なる複数枚のシートＳ１，Ｓ２を用意することで、練習の難易度を簡単に変更したり、クラブフェースＦの大きさの異なるゴルフクラブへの対応も可能となる。
このように、本発明のゴルフ用打点改善シートは、前記トゥ側シートＳ１とヒール側シートＳ２とが分離した別体のものとされており、ゴルファーに合わせて練習方法や練習の難易度を簡単に変更することもできる。
【００３４】
なお、前記トゥ側シートＳ１とヒール側シートＳ２は、互いに左右対称形状となっているため、前記右利きのゴルファー用のゴルフクラブに使用するトゥ側シートＳ１は、左利きのゴルファー用のゴルフクラブのヒール側シートとして用いることができ、前記右利きのゴルファー用のゴルフクラブに使用するヒール側シートＳ２は、左利きのゴルファー用のゴルフクラブのトゥ側シートとして用いることができる。
【００３５】
次に、上記にて説明したゴルフ用打点改善シートＳ１，Ｓ２を製造する方法について説明する。
まず、一例として、１）厚さ２ｍｍの発泡スチレンブタジエンラバーのシートを用意し、２）その裏面に両面テープの片側面を貼り付ける、又は、シートの裏面に粘着剤を塗布した後に剥離紙を貼り付ける、３）シートを裁断する、という簡単な方法でトゥ側シートＳ１及びヒール側シートＳ２を設けることができる。
【００３６】
本発明は、上記実施形態のゴルフ用打点改善シートに限定されるものではなく、図３に示すように、クラブフェースＦの形状に合わせて形成されクラブフェースＦに貼り付けられる感圧紙Ｐを介してクラブフェースＦの所定位置に貼り付けられるように、感圧紙Ｐのトゥ側又はヒール側に対して予め貼り付けられているものであってもよい。
【００３７】
この場合、実際の打点位置を簡単かつ正確に確認することができる。
さらに、トゥ側シートＳ１とヒール側シートＳ２とが、それぞれ感圧紙Ｐのトゥ側及びヒール側に対して予め貼り付けられている場合には、それをクラブフェースＦに貼り付けるだけで、一度にトゥ側シートＳ１とヒール側シートＳ２をクラブフェースＦの適正な位置に簡単に貼り付けることができる。
【００３８】
また、図４に示すように、上記ゴルフ用打点改善シートＳ１，Ｓ２と同様の方法にて製造できる本発明のゴルフ用打点改善シートＳ３，Ｓ４は、アイアンゴルフクラブＩのクラブフェースＦに適したものとするために、クラブフェースＦのトゥ部分又はヒール部分の縁部形状に沿うように湾曲して形成された外側辺５と、上下方向に直線状に形成された内側辺６と、を有し、クラブフェースＦのスイートスポット付近を避けてトゥ側部分にのみ貼り付けられるトゥ側シートＳ３又はヒール側部分にのみ貼り付けられるヒール側シートＳ４からなるゴルフ用打点改善シートＳ３，Ｓ４であってもよい。
【００３９】
このアイアンゴルフクラブＩのクラブフェースＦに適した本発明のゴルフ用打点改善シートＳ３，Ｓ４においては、上下方向に直線状に形成された内側辺６を有しているため、シートに覆われていないクラブフェースＦの形状が、クラブフェースＦに溝が形成されている部分の形状と同様の台形状となり、違和感の無い打球練習を行うことができる。
【００４０】
図５に示すように、本発明のゴルフ用打点改善シートＳ１〜Ｓ４は、クラブフェースＦのソール付近と対応する部分を略水平方向に切り欠いた下辺７を設けないものとして実施してもよい。
なお、ウッドゴルフクラブ又はユーティリティゴルフクラブＷに使用するのに適した本発明のゴルフ用打点改善シートＳ１，Ｓ２は、クラブフェースＦに貼り付けた後に露出しているクラブフェースＦの形状がシートを貼る前のクラブフェースＦの形状と似ているものとなり、なるべく不自然に見えないように、その内側辺６の湾曲形状が滑らかな曲線であるとよいが、部分的に直線部分を含んでもよい。
【００４１】
その他、本発明は、その趣旨を逸脱しない範囲で、シートの材質、形状、厚さ、大きさなどが異なるゴルフ用打点改善シートにおいて具体化して実施してもよい。
【産業上の利用可能性】
【００４２】
本発明は、ゴルファーがゴルフクラブのスイートスポットにて正しく打球することができるようになるための練習を効率良く行うことができるゴルフ用打点改善シートを提供することができ、ゴルフの練習補助具として産業上好適に利用可能である。
【符号の説明】
【００４３】
５    外側辺
６    内側辺
７    下辺
８    粘着剤
９    剥離紙
Ｆ    クラブフェース
Ｉ    アイアンゴルフクラブ
Ｓ１  トゥ側シート（ウッドゴルフクラブに適したゴルフ用打点改善シート）
Ｓ２  ヒール側シート（ウッドゴルフクラブに適したゴルフ用打点改善シート）
Ｓ３  トゥ側シート（アイアンゴルフクラブに適したゴルフ用打点改善シート）
Ｓ４  ヒール側シート（アイアンゴルフクラブに適したゴルフ用打点改善シート）
Ｓ１０  従来のゴルフ用打点改善シート
Ｐ    感圧紙
Ｗ    ウッドゴルフクラブ又はユーティリティゴルフクラブ
＋    芯
【図１】
2017093988.tif 000003
【図２】
2017093988.tif 000004
【図３】
2017093988.tif 000005
【図４】
2017093988.tif 000006
【図５】
2017093988.tif 000007
【図６】
2017093988.tif 000008
【図７】
2017093988.tif 000009